(57)【要約】【課題】安価且つ容易に磁気記録部を備えた入場券のリサイクル化に貢献することができる出口料金精算機１９を提供する。【解決手段】挿入口３０から挿入された入場券の磁気記録部に記録された情報を読み取る磁気データ再生記録装置６２と、磁気データ再生記録装置６２よりも入場券搬送方向下流の搬送経路中に配置されて磁気記録部が存在する部位と存在しない部位とに入場券を分断するカッタ刃８３と、カッタ刃８３よりも搬送経路下流に配置されて分断された入場券を磁気記録部が存在しない部位と存在する部位とに分離搬送する回収経路切換アーム８４と、回収経路切換アーム８４よりも搬送経路下流に配置されて磁気記録部が存在しない部位を回収する第１入場券回収箱６０と、回収経路切換アーム８４よりも搬送経路下流に配置されて磁気記録部が存在する部位を回収する第２入場券回収箱６１と、を備えている。【選択図】図５
2010238127.tif 000002
【特許請求の範囲】
【請求項１】
一部に磁気記録部を有する入場券を媒体として磁気記録部に記録された磁気情報に基づいて精算処理を行う出口料金精算機において、
挿入口から挿入された入場券の磁気記録部に記録された情報を読み取る磁気データ再生装置と、該磁気データ再生装置よりも入場券搬送方向下流の搬送経路中に配置されて磁気記録部が存在する部位と磁気記録部が存在しない部位とに入場券を分断する分断手段と、前記分断手段よりも搬送経路下流に配置されて分断された入場券を磁気記録部が存在しない部位と磁気記録部が存在する部位とに分離搬送する振分手段と、該振分手段よりも搬送経路下流に配置されて分断された入場券の磁気記録部が存在しない部位を回収する第１入場券回収箱と、前記振分手段よりも搬送経路下流に配置されて分断された入場券の磁気記録部が存在する部位を回収する第２入場券回収箱と、を備えていることを特徴とする出口料金精算機。
【請求項２】
前記分断手段は、前記磁気データ再生装置の入場券搬送路中に配置されて、入場券の搬送作用によって自動的に分断されるように入場券搬送方向と平行に配置されたカッタ刃であることを特徴とする請求項１に記載の出口料金精算機。
【請求項３】
前記カッタ刃は、入場券搬送方向に沿って回転可能な円盤状の回転式カッタ刃であることを特徴とする請求項２に記載の出口料金精算機。
【請求項４】
搬送される入場券の磁気記録部の位置及び表裏を検出する複数の検出手段を前記挿入口付近に配置し、検出された磁気記録部の位置及び表裏に応じて、前記カッタ刃の入場券搬送幅方向に対する位置が選択的に移動するか、若しくは、複数の前記カッタ刃が入場券の紙面に対して選択的に入場券を分断可能な紙面方向に接近・離反することを特徴とする請求項１乃至請求項３の何れかに記載の出口料金精算機。
【請求項５】
前記振分手段は、磁気記録部が存在する部分の入場券の前端と係合して前記第２入場券回収箱に連通する連通路に磁気記録部が存在する部分の入場券を前記第２入場券回収箱に誘導するガイド手段を備えていることを特徴とする請求項１乃至請求項４の何れかに記載の出口料金精算機。
【請求項６】
前記ガイド手段は、搬送される入場券の磁気記録部の向きに応じて、前記カッタ刃の入場券搬送幅方向に対する位置が選択的に移動するか、若しくは、複数の前記カッタ刃が入場券の紙面に対して選択的に入場券を分断可能な紙面方向位置に接近・離反する動作に連動して接近・離反し、複数のガイド手段が選択的に磁気記録部が存在する分断側の入場券の前端のみを搬送経路より前記第２入場券回収箱に続く経路の方向にガイドして磁気記録部が存在する分断側の入場券を前記第２入場券回収箱に誘導することを特徴とする請求項５に記載の出口料金精算機。
【請求項７】
前記ガイド手段は、入場券の搬送方向に直交する支柱と、入場券に対して接近・離反可能な上下方向に回動可能となるように前記支柱に保持された左右一対の回収経路切換アームと、該回収経路切換アームの対向する面側に夫々に保持されたカッタ刃と、前記一対の回収経路切換アームの一方を入場券の搬送経路に臨ませ且つ他方を入場券の搬送経路から退避させる退避機構部と、を備え、
該退避機構部は、前記一対の回収経路切換アームの一方と接触してその一方の回前記収経路切換アームを入場券の搬送経路に臨ませ且つ前記一対の回収経路切換アームの他方から離間してその他方の前記回収経路切換アームを入場券の搬送経路から退避させる切換カム機構と、該切換カム機構を揺動させて前記回収経路切換アームの接触・離間状態を切り換える電磁式駆動手段と、を備えていることを特徴とする請求項６に記載の出口料金精算機。
【請求項８】
分断後の磁気記録部が存在しない部位の入場券を前記搬送経路から逆送させて前記挿入口に返却する逆送手段と、前記経路中に設けられて逆送過程にある分断後の磁気記録部が存在しない部位の入場券に印字処理を施す印字手段と、を備えていることを特徴とする請求項１乃至請求項７の何れかに記載の出口料金精算機。
【請求項９】
請求項１に記載の出口料金精算機を用いた入場券処理方法であって、
料金精算のために挿入口から挿入された入場券を搬送過程で磁気情報読取り動作を行なった後に、入場券とは別の料金精算用の他券を前記挿入口から受け付けて読み取り可能となるよう入場券を保留位置に搬送して待機させ、他券を利用した料金精算が完了した後に保留位置から一旦入場券を前記挿入口側に逆送して磁気情報消去動作を行い、再度入場券を順送して入場券を磁気記録部が存在する部位と磁気記録部が存在しない部位とに分断し、分断した入場券を別々の入場券回収箱に回収することを特徴とする入場券処理方法。
【請求項１０】
請求項１に記載の出口料金精算機を用いた入場券処理方法であって、
料金精算のために挿入口から挿入された入場券を搬送過程で磁気情報読取り動作を行った後に、入場券を搬送経路の途中位置で停止して待機させ、料金精算が完了した後に途中位置から搬送を再開して入場券を磁気記録部が存在する部位と磁気記録部が存在しない部位とに分断し、分断した入場券を別々の入場券回収箱に回収することを特徴とする入場券処理方法。
【発明の詳細な説明】
【技術分野】
【０００１】
本発明は、入場時刻等の車両情報を記録した磁気式入場券を用いた出口料金精算機及び入場券処理方法に関するものである。
【背景技術】
【０００２】
従来、駐車場や高速道路等では、紙製入場券の一面側に帯状の磁気記録部を設け、入場口に設置した発券機を用いて磁気記録部に入場時刻等の車両情報を記録した入場券を発券し、出場口に設置した出口料金精算機で入場券を読み取らせることで利用料金を計算し、この計算した利用料金の精算を済ませるとゲートを開放して車両の出場を許可するように構成された料金管理システムが周知である。
【０００３】
この際、精算後の入場券は、一度の利用で廃棄処分としたのでは近年のリサイクル化に反してしまうため、例えば、精算後の入場券を利用者に返却し、再利用時に同じ入場券を用いた場合には、利用料金を割引する料金管理システムが知られている（例えば、特許文献１参照）。
【０００４】
一方、このような一面側に帯状の磁気記録部を設けた入場券を出口精算機に挿入する際には、利用者側の取り扱いの利便性並びに操作時間の短縮化を実現するため、入場券の表裏及び前後の挿入方向に拘わらず、磁気記録部の読み取りを可能とした出口精算機も知られている（例えば、特許文献２参照）。
【先行技術文献】
【特許文献】
【０００５】
【特許文献１】特開平１１−１９５１５４号公報
【特許文献２】特許第３１１３６９１号公報
【発明の概要】
【発明が解決しようとする課題】
【０００６】
ところが、特許文献１のように、入場券の再利用を可能としても、その保管状況等を含め、数回の使用に耐え得るだけの紙質や厚さで入場券を発券したのでは、材料コストが高騰してしまうため、既存の入場券では多くとも２〜３回の再利用が限界であり、その後は廃棄せざるを得ないために、入場券の廃棄処分を減少させることには至っていないのが実情であった。
【０００７】
また、一般的に磁気記録部を有する使用済み入場券は、一般のリサイクル古紙に含めてはならない禁忌品（きんきひん）として扱われており、一般の古紙回収業者でリサイクル化を図ることは困難である。
【０００８】
例えば、このような磁気記録部を有する入場券の代表としては、裏面全体を磁気記録部とした鉄道用切符が周知であるが、昨今では、このような使用済みの鉄道用切符に関しては、解繊処理を行なって封筒や名刺やトイレットペーパー等の再生パルプ材として再利用しようとする試みがなされている。
【０００９】
しかしながら、使用済みの鉄道用切符は、裏面全体に磁気記録部（磁性層）としてフェライト塗布層を形成しているため、そのフェライト塗布層と表面側の紙層とを正確に分離することは困難である。
【００１０】
そのため、鉄道用切符の場合、アルカリ水溶液によって湿式に剥離処理をしたり、乾式で粉砕して磁気成分を磁石で吸引するといった、様々な処理方法が試されているが、いずれも設備費用の高騰や処理作業コストの高騰をきたしてしまうのが実情である。
【００１１】
しかも、中小規模で経営が行なわれることが多い駐車場等では、自前で古紙処理設備を持つことは不可能であるため、使用済み入場券は産業廃棄物として産廃業者に回収を依頼するしかなく、回収された使用済み入場券は埋め立て廃棄となるより他に手段が無いのが実情である。
【００１２】
従って、このような帯状の磁気記録部を有する入場券に関して、特許文献１で示されたように、入場券の表面の一部に幅狭の磁気記録部を印刷若しくは貼り付けにより設けた場合、磁気記録部の面積よりもそれ以外の面積の方が圧倒的に広いにも拘らず、幅狭の磁気記録部があるために古紙の扱いとはならない事は極めて非合理的で、環境問題に優しいとは言えないという問題が生じていた。
【００１３】
また、例えば、出口料金精算機などで駐車場出場時に回収した入場券を整列させ、磁気記憶部側を切断して分別廃棄するなどの手段も考えられるが、特許文献２の技術によって利用者は入場券をどの方向に挿入しても良いという使い勝手のよさを得てしまっており、その結果、出口料金精算機の内部に回収された入場券の方向は様々（４方向に分かれる）であり、それを整列し直す手間を掛けてまでリサイクルに取り組もうとする駐車場オーナーは、おそらく皆無であろう。
【００１４】
そこで、本発明は、上記事情を考慮し、安価且つ容易に磁気記録部を備えた入場券のリサイクル化に貢献することができる出口料金精算機を提供することを目的とする。
【課題を解決するための手段】
【００１５】
本発明の請求項１に記載の出口料金精算機は、一部に磁気記録部を有する入場券を媒体として磁気記録部に記録された磁気情報に基づいて精算処理を行う出口料金精算機において、挿入口から挿入された入場券の磁気記録部に記録された情報を読み取る磁気データ再生装置と、該磁気データ再生装置よりも入場券搬送方向下流の搬送経路中に配置されて磁気記録部が存在する部位と磁気記録部が存在しない部位とに入場券を分断する分断手段と、前記分断手段よりも搬送経路下流に配置されて分断された入場券を磁気記録部が存在しない部位と磁気記録部が存在する部位とに分離搬送する振分手段と、該振分手段よりも搬送経路下流に配置されて分断された入場券の磁気記録部が存在しない部位を回収する第１入場券回収箱と、前記振分手段よりも搬送経路下流に配置されて分断された入場券の磁気記録部が存在する部位を回収する第２入場券回収箱と、を備えていることを特徴とする。
【００１６】
本発明の請求項１に係る出口料金精算機によれば、利用者が出口料金精算機で入場券を挿入して精算が完了した時点で、自動的に入場券の磁気記録部を含む部分とそれ以外とに分断して別々の回収箱に回収されるため、磁気層を含んでいるために一般の古紙として回収されない産業廃棄物の量を極めて少なくでき、一方の磁気層を含まない一般の古紙として扱える使用済み入場券が自動的に分別されて収集されるため、入場券の再利用率を向上することができる。
【００１７】
本発明の請求項２に記載の出口料金精算機は、前記分断手段は、前記磁気データ再生装置の入場券搬送路中に配置されて、入場券の搬送作用によって自動的に分断されるように入場券搬送方向と平行に配置されたカッタ刃であることを特徴とする。
【００１８】
本発明の請求項２に係る出口料金精算機によれば、入場券を分断するのに特別な駆動回路等が不要であり、搬送経路を通過する入場券の搬送動作によって自動的に分断されるため、部品コストの高騰を抑えつつ、刃の摺り合せ位置の調整等が不要であり、組み立て作業やメンテナンス作業を容易に行うことができる。
【００１９】
本発明の請求項３に記載の出口料金精算機は、前記カッタ刃は、入場券搬送方向に沿って回転可能な円盤状の回転式カッタ刃であることを特徴とする。
【００２０】
本発明の請求項３に係る出口料金精算機によれば、回転刃を採用することによって刃の摩耗や欠けなどが生じ難く、耐久性が向上してメンテナンス頻度が少なくて済み、ランニングコストを削減することができる。
【００２１】
本発明の請求項４に記載の出口料金精算機は、搬送される入場券の磁気記録部の位置及び表裏を検出する複数の検出手段を前記挿入口付近に配置し、検出された磁気記録部の位置及び表裏に応じて、前記カッタ刃の入場券搬送幅方向に対する位置が選択的に移動するか、若しくは、複数の前記カッタ刃が入場券の紙面に対して選択的に入場券を分断可能な紙面方向に接近・離反することを特徴とする。
【００２２】
本発明の請求項４に係る出口料金精算機によれば、入場券の挿入方向が複数でも磁気記録部の再生が可能な場合であっても、それに対応して選択的に入場券の分断位置を切り換えることができて、利用者の利便性を損なわずに、入場券の磁気層を含む紙片と含まない紙片の分別回収ができ、その後の古紙の再利用を促進することができる。
【００２３】
本発明の請求項５に記載の出口料金精算機は、前記振分手段は、磁気記録部が存在する部分の入場券の前端と係合して前記第２入場券回収箱に連通する連通路に磁気記録部が存在する部分の入場券を前記第２入場券回収箱に誘導するガイド手段を備えていることを特徴とする。
【００２４】
本発明の請求項５に係る出口料金精算機によれば、簡単な構造で確実に分断された入場券を適正に分別回収することができる。
【００２５】
本発明の請求項６に記載の出口料金精算機は、前記ガイド手段は、搬送される入場券の磁気記録部の向きに応じて、前記カッタ刃の入場券搬送幅方向に対する位置が選択的に移動するか、若しくは、複数の前記カッタ刃が入場券の紙面に対して選択的に入場券を分断可能な紙面方向位置に接近・離反する動作に連動して接近・離反し、複数のガイド手段が選択的に磁気記録部が存在する分断側の入場券の前端のみを搬送経路より前記第２入場券回収箱に続く経路の方向にガイドして磁気記録部が存在する分断側の入場券を前記第２入場券回収箱に誘導することを特徴とする。
【００２６】
本発明の請求項６に係る出口料金精算機によれば、入場券の分断位置に対応して入場券のガイド手段が動作するため、分断位置を切り換える制御のみで簡単に入場券を分別回収することができ、複雑な制御を必要としないために簡素なシステムで入場券の分断・分別回収が実現できる。
【００２７】
本発明の請求項７に記載の出口料金精算機は、前記ガイド手段は、入場券の搬送方向に直交する支柱と、入場券に対して接近・離反可能な上下方向に回動可能となるように前記支柱に保持された左右一対の回収経路切換アームと、該回収経路切換アームの対向する面側に夫々に保持されたカッタ刃と、前記一対の回収経路切換アームの一方を入場券の搬送経路に臨ませ且つ他方を入場券の搬送経路から退避させる退避機構部と、を備え、該退避機構部は、前記一対の回収経路切換アームの一方と接触してその一方の回前記収経路切換アームを入場券の搬送経路に臨ませ且つ前記一対の回収経路切換アームの他方から離間してその他方の前記回収経路切換アームを入場券の搬送経路から退避させる切換カム機構と、該切換カム機構を揺動させて前記回収経路切換アームの接触・離間状態を切り換える電磁式駆動手段と、を備えていることを特徴とする。
【００２８】
本発明の請求項７に係る出口料金精算機によれば、ひとつの駆動手段の切換のみで入場券の分断位置及び入場券のガイド手段が選択的に動作するため、簡単な制御システムで、且つ簡単なハードウエア構成で入場券の分断・分別回収が実現できる。
【００２９】
本発明の請求項８に記載の出口料金精算機は、分断後の磁気記録部が存在しない部位の入場券を前記搬送経路から逆送させて前記挿入口に返却する逆送手段と、前記経路中に設けられて逆送過程にある分断後の磁気記録部が存在しない部位の入場券に印字処理を施す印字手段と、を備えていることを特徴とする。
【００３０】
本発明の請求項８に係る出口料金精算機によれば、使用済み入場券のうちの磁気記録部が無い紙片だけに領収証の内容その他を印字して利用者に返却できるため、返却された紙片の磁気情報を解析して不正使用を企てるような事を不可能とする。また、磁気記録部が含まれない紙片を返却するために、利用者がその紙片を廃棄する際にも、一般古紙として廃棄可能であり、利用者に分別の負担を強いるようなことも無い。もちろん、領収証用の印字装置を別途用意する必要もなく、機器のコストダウンに繋がる。
【００３１】
本発明の請求項９に記載の入場券処理方法は、請求項１に記載の出口料金精算機を用いた入場券処理方法であって、料金精算のために挿入口から挿入された入場券を搬送過程で磁気情報読取り動作を行なった後に、入場券とは別の料金精算用の他券を前記挿入口から受け付けて読み取り可能となるよう入場券を保留位置に搬送して待機させ、他券を利用した料金精算が完了した後に保留位置から一旦入場券を前記挿入口側に逆送して磁気情報消去動作を行い、再度入場券を順送して入場券を磁気記録部が存在する部位と磁気記録部が存在しない部位とに分断し、分断した入場券を別々の入場券回収箱に回収することを特徴とする。
【００３２】
本発明の請求項９に係る入場券処理方法によれば、使用済み入場券の磁気情報を消去して分断して回収するため、廃棄された入場券の磁気情報を解析して不正に使用するようなことが不可能となる。また、磁気の消去のみのために消去用のヘッド（単に電磁石）等を回収経路に固定若しくは入場券面に進退可能に配置する必要もないため、磁気情報の消去に必要な部材のコストが削減できる。
【００３３】
本発明の請求項１０に記載の入場券処理方法は、請求項１に記載の出口料金精算機を用いた入場券処理方法であって、料金精算のために挿入口から挿入された入場券を搬送過程で磁気情報読取り動作を行った後に、入場券を搬送経路の途中位置で停止して待機させ、料金精算が完了した後に途中位置から搬送を再開して入場券を磁気記録部が存在する部位と磁気記録部が存在しない部位とに分断し、分断した入場券を別々の入場券回収箱に回収することを特徴とする。
【００３４】
本発明の請求項１０に係る入場券処理方法によれば、使用済み入場券の磁気情報を消去せずに分断して回収するため、消去行程のために一旦入場券を排出方向（挿入口方向）に移行させて再度回収する方向に搬送しながら磁気ヘッドで磁気情報を消去する、といった引き返し動作をおこなわないで良く、装置の消耗度合いが激減し、耐久性の向上が図れる。
【発明の効果】
【００３５】
本発明に係る出口料金精算機及び入場券処理方法は、安価且つ容易に磁気記録部を備えた入場券のリサイクル化に貢献することができる。
【図面の簡単な説明】
【００３６】
【図１】本発明の一実施形態に係る出口料金精算機を設置した駐車場の説明図である。
【図２】本発明の一実施形態に係る出口料金精算機の外観斜視図である。
【図３】本発明の一実施形態に係る出口料金精算機の内部構成を示すブロック図である。
【図４】本発明の一実施形態に係る実施例１の出口料金精算機における精算時のメイン動作のフロー図である。
【図５】本発明の一実施形態に係る実施例１の出口料金精算機の要部の内部構成を示す断面図である。
【図６】本発明の一実施形態に係る実施例１の駐車券処理装置に搭載された駐車券処理装置の構成を示すブロック図である。
【図７】本発明の一実施形態に係る実施例１の出口料金精算機における精算過程での駐車券の動作を時系列で示した要部の説明図で、（Ａ）は駐車券挿入前の説明図、（Ｂ）は駐車券保留状態の説明図、（Ｃ）は他券処理状態の説明図である。
【図８】本発明の一実施形態に係る実施例１の出口料金精算機における精算過程での駐車券の動作を時系列で示した要部の説明図で、（Ａ）は駐車券スイッチバック状態の説明図、（Ｂ）は駐車券切断状態の説明図である。
【図９】本発明の一実施形態に係る出口料金精算機における実施例１のカット機構部の要部の説明図で、（Ａ）は平面図、（Ｂ)は側面図、（Ｃ）は背面図である。
【図１０】本発明の一実施形態に係る出口料金精算機における実施例１の出口料金精算機におけるカット機構部の動作説明図で、（Ａ）は切断前の動作説明図、（Ｂ）は切断初期の動作説明図、（Ｃ）は切断中期の動作説明図である。
【図１１】本発明の一実施形態に係る実施例２の出口料金精算機における精算時のメイン動作のフロー図である。
【図１２】本発明の一実施形態に係る実施例２の出口料金精算機の要部の内部構成を示す断面図である。
【図１３】本発明の一実施形態に係る実施例２の駐車券処理装置に搭載された駐車券処理装置の構成を示すブロック図である。
【図１４】本発明の一実施形態に係る実施例２の出口料金精算機における精算過程での駐車券の動作を時系列で示した要部の説明図で、（Ａ）は駐車券挿入前の説明図、（Ｂ）は駐車券保留状態の説明図、（Ｃ）は他券処理状態の説明図である。
【図１５】本発明の一実施形態に係る実施例２の出口料金精算機における精算過程での駐車券の動作を時系列で示した要部の説明図で、（Ａ）は駐車券スイッチバック状態の説明図、（Ｂ）は駐車券切断状態の説明図である。
【図１６】本発明の一実施形態に係る出口料金精算機における実施例２のカット機構部の要部の説明図で、（Ａ）は切断前の斜視図、（Ｂ）は切断前の平面図、（Ｃ)は切断前の側面図、（Ｄ）は切断前の背面図である。
【図１７】本発明の一実施形態に係る出口料金精算機における実施例２の出口料金精算機におけるカット機構部の腰部の説明図で、（Ａ）は切断中期の斜視図、（Ｂ）は切断中期の平面図、（Ｃ)は切断中期の側面図、（Ｄ）は切断中期の背面図である。
【図１８】本発明の一実施形態に係る出口料金精算機における実施例２の駐車券分断作用の説明図で、（Ａ）は適正に挿入された駐車券の挿入前後の斜視図、（Ｂ）は適正基準に対して前後逆に挿入された駐車券の挿入前後の斜視図、（Ｃ）は適正基準に対して表裏逆に挿入された駐車券の挿入前後の斜視図、（Ｄ）は適正基準に対して表裏前後逆に挿入された駐車券の挿入前後の斜視図である。
【発明を実施するための形態】
【００３７】
以下、本発明の一実施形態に係る出口料金精算を駐車場の出場口に設置された出口料金精算機に適用し、図面に基づいて説明する。尚、以下に示す実施形態は本発明の好適な具体例であり、技術的に好ましい種々の限定を付している場合もあるが、本発明の技術範囲は、特に本発明を限定する記載がない限りこれらの態様に限定されるものではない。
【００３８】
図１は本発明の一実施形態に係る出口料金精算機１９を設置した駐車場の説明図である。
【００３９】
図１において、駐車エリア１１には、入場車路１２（入場口）と出場車路１３（出場口）とが位置を隔てて配置されている。
【００４０】
入場車路１２には、発券機１４と、車両の入場を規制する入場側ゲートバー１５と、入場側ゲートバー１５を開閉作動する入場側ゲートバー開閉機１６と、入場側ゲートバー１５よりも車両進行方向後方の地面中に埋設されて入場前の車両を検出する入場側第１ループコイル１７と、入場側ゲートバー１５よりも車両進行方向前方の地面中に埋設されて入場後の車両を検出する入場側第２ループコイル１８と、が設けられている。
【００４１】
発券機１４は、入場側第１ループコイル１７が入場車両を検出すると、入場時刻（日付を含む）・駐車場コード・発券ナンバー等の入場データを入場券（以下、「駐車券」と称する）に印刷すると共にこれ等の入場データを駐車券に設けられた帯状の磁気記録部に磁気情報として記録した後、図示しない発券口からその駐車券を運転者（利用者）に抜き取らせる。
【００４２】
また、利用者が駐車券を発券口から抜き取ると、入場側ゲートバー開閉機１６が入場側ゲートバー１５を上昇（開放）させて車両の入場を可能とし、駐車エリア１１内に車両が入場して入場側第２ループコイル１８が車両の通過完了を検出すると、入場側ゲートバー開閉機１６が入場側ゲートバー１５を下降させて車両の入場を完了させると同時に次車両の入場を規制する。
【００４３】
尚、この入場車路１２での発券及び車両入場規制に関する構成は、上記に限定されるものではなく、公知の発券機１４を適用することができる。また、駐車券への記載内容及び記録内容においても、上記に限定されるものではない。
【００４４】
出場車路１３には、出口料金精算機１９と、車両の出場を規制する出場側ゲートバー２０と、出場側ゲートバー２０を開閉作動する出場側ゲートバー開閉機２１と、出場側ゲートバー２０よりも車両進行方向後方の地面中に埋設されて出場前の車両を検出する出場側第１ループコイル２２と、出場側ゲートバー２０よりも車両進行方向前方の地面中に埋設されて出場後の車両を検出する出場側第２ループコイル２３と、が設けられている。
【００４５】
出場側第１ループコイル２２が出場車両を検出すると、料金精算開始の音声ガイドが出力され、出口料金精算機１９に入場時に受け取った駐車券を挿入すると、駐車券に記録されている磁気情報が読み取られて、現在時刻との時間差から駐車時間とその料金が算出される。
【００４６】
利用者が、算出された利用料金の精算（現金又はカード等による支払い）を済ませると、出場側ゲートバー開閉機２１が出場側ゲートバー２０を上昇させて車両の出場を可能とし、出場側第２ループコイル２３が出場車両の通過を検出すると、出場側ゲートバー開閉機２１が出場側ゲートバー２０を下降させて車両の出場を完了させると同時に後続車両の未精算出場を規制する。
【００４７】
図２は本発明の一実施形態に係る出口料金精算機１９の外観斜視図である。尚、図２に示した出口料金精算機１９は、駐車場管理機器の一例として示したもので、その外観上の構成は図２に示したものに限定されす、公知の構成を採用することができる。
【００４８】
図２において、出口料金精算機１９は、出場車路１３よりも段上のアイランド２４に設置されており、出口車路側に位置する前面部に開閉可能な前扉２５と、その側面部に開閉可能な横扉２６と、を備えている。尚、前扉２５は図示を略する前鍵によって開放が規制され、横扉２６は横鍵２７によって開放が規制されている。
【００４９】
前扉２５には、出場時の操作等（例えば、「駐車券を入れて下さい」等）に関する音声ガイド等を出力するスピーカ２８と、現在時刻（日付を含む）や出場時の操作等に関する文字ガイド等を表示する表示画面２９と、駐車券を挿入する挿入口３０と、駐車券を紛失した場合に操作される紛失釦３１と、月極め契約の場合に契約者が所有するＩＣカード（パスカード）等を読み取る非接触カードリーダ３２と、硬貨で料金支払いをする場合に使用される硬貨投入口３３と、紙幣で料金支払いをする場合に使用される紙幣挿入口３４と、硬貨でおつりを返却する場合に使用される硬貨返却口３５と、紙幣でおつりを返却する場合に使用される紙幣返却口３６と、領収証の発行を希望する場合に操作される領収証釦３７と、精算操作を取り消す場合に操作される取り消し釦３８と、係員を呼び出す場合に使用される呼出釦３９と、呼出釦３９やマイク入力部（図示しない）を備えて利用者と駐車場管理室等との音声通話を可能とするインターホン５３と、を備えている。
【００５０】
尚、発行された領収証は硬貨返却口３５から受領することができる。また、出場車路１３での精算及び車両出場規制に関する構成は、上記に限定されるものではなく、この出口料金精算機１９の構成（例えば、非接触カードリーダ３２等の有無）や配置関係においても、上記に限定されるものではない。また、非接触カードリーダ３２は、月極め契約者が保有するＩＣカード等の読み取りの他、ＩＣチップ内蔵の電子マネーカード等で料金精算をする場合に使用することも可能である。
【００５１】
図３は本発明の一実施形態に係る出口料金精算機１９の内部構成を示すブロック図である。
【００５２】
図３において、出口料金精算機１９の内部には、精算に関する制御プログラムが格納されたＲＯＭ４１と、ＲＯＭ４１に格納されたプログラムに基づいて各種制御を実行させるＣＰＵ４２と、駐車券を発行した際の磁気情報等の一時的情報等を格納するＲＡＭ４３と、を備えている。尚、ＲＯＭ４１には本発明の駐車券処理に関する制御プログラムも格納されており、この駐車券処理に関する制御プログラムを実行するＣＰＵ４２とで駐車券処理方法に関する制御装置を構成している。
【００５３】
また、ＣＰＵ４２は、インターフェース４４とバス接続されており、精算及び駐車券処理に関する出入力を制御する。
【００５４】
具体的には、インターフェース４４には、出場側第１ループコイル２２、出場側第２ループコイル２３、紛失釦３１、非接触カードリーダ３２、領収証釦３７、取り消し釦３８、前扉２５及び横扉２６の開放を検出する扉開センサ４５、紙幣挿入口３４から投入された紙幣の種類を識別（選別）する紙幣リーダ４６、入場時日時と現在日時とから料金を計算するための時計４７、等からの各種信号が入力される。
【００５５】
また、インターフェース４４は、スピーカ２８、表示画面２９への表示内容を制御する表示器４８、硬貨返却口３５に硬貨を払い出す硬貨払い出し装置４９、紙幣返却口３６に紙幣を払い出す紙幣払い出し装置５０、領収証に金額等を印刷する領収証プリンタ５１、等への各種信号を出力する。
【００５６】
さらに、インターフェース４４は、硬貨投入口３３及び硬貨返却口３５で処理される硬貨の種類を識別（選別）するコインセレクタ５２、係員呼び出し釦３９（図２参照）を有してさらに内蔵する図示しないマイクとスピーカを利用して係員側とで音声信号を入出力するインターホン５３、駐車券の読み取りから本発明に係る駐車券処理を実行する駐車券処理装置５４、出場側ゲートバー開閉機２１等の外部設置機器を駆動制御するＩ／Ｏ信号端子５５、等との入出力信号を入出力する。
【００５７】
以下、本発明に係る駐車券処理装置５４の具体的な実施例を説明する。
【実施例１】
【００５８】
図４乃至図１０は本発明の一実施形態に係る実施例１の出口料金精算機１９における動作状態を示す。
【００５９】
図４は本発明の一実施形態に係る実施例１の出口料金精算機１９における精算時のメイン動作のフロー図である。
【００６０】
（ステップＳ１）
ステップＳ１では、ＣＰＵ４２は、出場側第１ループコイル２２が出場車両を検出したか否かを監視し、出場車両を検出した場合にはステップＳ２へと移行し、出場車両を検出していない場合には継続してこのルーチンを監視する。
【００６１】
（ステップＳ２）
ステップＳ２では、ＣＰＵ４２は、スピーカ２８から駐車券の挿入を促すメッセージを音声出力すると同時に表示画面２９に駐車券の挿入を促すメッセージを表示してステップＳ３へと移行する。
【００６２】
（ステップＳ３）
ステップＳ３では、ＣＰＵ４２は、挿入口３０から駐車券が挿入されたか否かを監視し、駐車券が挿入されなかった場合にはステップＳ４へと移行し、駐車券が挿入された場合にはステップＳ６へと移行する。
【００６３】
（ステップＳ４）
ステップＳ４では、ＣＰＵ４２は、例えば、月極め契約の場合には駐車券が発券されないため、駐車券の挿入に代わるＩＣカード等が非接触カードリーダ３２に提示されたか否かを監視し、ＩＣカードの提示がされなかった場合にはステップ３５へとループし、ＩＣカードの提示がされた場合にはステップＳ８へと移行する。
【００６４】
尚、月極め契約がない駐車場の場合には、このルーチンはスキップされ、ステップＳ３で駐車券が挿入されるまでステップＳ３をループする。
【００６５】
ところで、ステップＳ３及びステップＳ４のルーチンでは、例えば、駐車券以外の何らかのカードが誤って挿入されたり、磁気記録部の読み取りができない等の不具合が発生する場合が想定される。
【００６６】
そこで、ステップＳ３では、単に駐車券の挿入を検出するのではなく、磁気記録部に記録された磁気情報を読み取るのとは別に、駐車券の種別や読み取り可能であるか等を識別し、以降の精算ルーチンが可能であるか否かを含めて駐車券の挿入を監視しても良い。
【００６７】
この際、出口料金精算機１９は、継続して出場側第１ループコイル２２を監視しており、駐車券の挿入又はＩＣカード等の提示が検出されずに、出場側第１ループコイル２２が車両を検知しなくなった場合には、バックアウトとして出場処理を終了する様な例外処理が可能となっている。
【００６８】
（ステップＳ５）
ステップＳ５では、ＣＰＵ４２は、駐車券の磁気記録部に記録された磁気情報を駐車券処理装置５４で読み取ってＲＡＭ４３に一時的に格納し、そのＲＡＭ４３に一時的に格納された磁気情報に含まれる駐車時間等とＲＯＭ４１に格納された単位時間当たりの料金等とを用いた所定のアルゴリズムに従って駐車料金を算出し、算出した料金をスピーカ２８及び表示画面２９にて報知してステップＳ６へと移行する。
【００６９】
（ステップＳ６）
ステップＳ６では、ＣＰＵ４２は、駐車券を駐車券処理装置５４の所定位置で一時保留してステップＳ７へと移行する。この際、ステップＳ５とステップＳ６の動作は、並列的におこなわれてもよく、ステップＳ５で駐車券の搬送を一旦停止する必要はない。
【００７０】
（ステップＳ７）
ステップＳ７では、ＣＰＵ４２は、精算が完了したか否かを監視し、精算が完了した場合にはステップＳ８へと移行し、精算が完了していない場合にはこのルーチンを継続して監視する。
【００７１】
尚、このステップＳ７において出口料金精算機１９の取り消し釦３８が押下された場合には、駐車券処理装置５４により駐車券を挿入口３０にまでスイッチバックさせ、ステップＳ３へとループしても良い。この際、駐車料金の一部が硬貨投入口３３又は紙幣挿入口３４から投入されて料金不足となっている場合には、その投入された料金の一部を硬貨返却口３５又は紙幣返却口３６から返却する。また、前述のＳ３、Ｓ４の説明と同様に、この状態で出場側第１ループコイル２２が車両を検知しなくなった場合には、バックアウトとして出場処理を終了する。
【００７２】
（ステップＳ８）
ステップＳ８では、ＣＰＵ４２は、出場側ゲートバー開閉機２１を駆動させて出場側ゲートバー２０を上昇させてステップＳ９へと移行する。
【００７３】
（ステップＳ９)
ステップＳ９では、ＣＰＵ４２は、出場側第２ループコイル２３が車両の通過を検出したか否かを監視し、出場側第２ループコイル２３が車両の通過を検出した場合にはステップＳ１０へと移行し、出場側第２ループコイル２３が車両の通過を検出していない場合には継続してこのルーチンを継続して監視する。
【００７４】
（ステップＳ１０）
ステップＳ１０では、ＣＰＵ４２は、出場側ゲートバー開閉機２１を駆動させて出場側ゲートバー２０を下降させてステップＳ１１へと移行する。
【００７５】
（ステップＳ１１）
ステップＳ１１では、ＣＰＵ４２は、ステップＳ６で一時保留した駐車券の回収処理を駐車券処理装置５４で実行させてこのルーチンを終了する。
【００７６】
図５は、本発明の一実施形態に係る実施例１の出口料金精算機１９の要部の内部構成を示す断面図である。
【００７７】
尚、図５は、図２に示した出口料金精算機１９において、表示画面２９と挿入口３０と紙幣挿入口３４との近傍を結ぶ出口料金精算機１９の略中央付近を横扉２６側から見た縦断面図である。
【００７８】
出口料金精算機１９の内部は、上棚板５６と下棚板５７とによって上下に大きく３つの部屋に分かれている。
【００７９】
出口料金精算機１９の内部上段５８ａには、上棚板５６に設置されて挿入口３０に連通する駐車券処理装置５４と、前扉２５の裏面側に設置された表示器４８と、が設けられている。また、上棚板５６には上下連通開口５９が形成されている。尚、図５では図示を略するが、上棚板５６には、駐車券処理装置５４の横扉２６側に隣接して、前扉２５から硬貨投入口３３を突出させたコインセレクタ５２が設置されている。
【００８０】
出口料金精算機１９の内部中段５８ｂには、下棚板５７に設置されて前扉２５から紙幣挿入口３４を突出させた紙幣リーダ４６と、紙幣リーダ４６の背面側（前扉２５を前後の基準）に隣接して下棚板５７に設置された第２入場券回収箱６１と、第２入場券回収箱６１の背面側に隣接して下棚板５７に設置された第１入場券回収箱６０と、が設けられている。また、第１・第２の入場券回収箱６０，６１は、ゴミ袋のような形態であってもよい。尚、図５では図示を略するが、下棚板５７には、紙幣リーダ４６の横扉２６側に隣接して、前扉２５に硬貨返却口３５を開口させた硬貨払い出し装置４９と、硬貨返却口３５に領収証をプリント出力する領収証プリンタ５１と、さらに紙幣リーダ４６の横扉２６とは反対側に隣接して、紙幣返却口３６を突出させた紙幣払い出し装置５０と、が設置されている。
【００８１】
出口料金精算機１９の内部下段５８ｃには、図５では図示を略するが、上述したＩ／Ｏ信号端子５５やインターホン５３等の通信回線の他、電源装置（図示せず）が配置されている。
【００８２】
駐車券処理装置５４は、入場時に発券機１４で記録された磁気記録部の磁気情報を再生し且つ消去（記録）する磁気データ再生記録装置６２と、上述した領収証プリンタ５１とは別のプリンタ装置６３と、駐車券Ｐを少なくとも２分割に切断する切断装置６４と、を備えている。
【００８３】
磁気データ再生記録装置６２は、挿入口３０から駐車券Ｐ等が挿入されたことを検出するカード検出センサ６５と、挿入口３０から挿入された駐車券Ｐ等の上下を挟んでニップ搬送する上下一対の上流側搬送ローラ対６６と、駐車券Ｐの磁気記録部に対向するように配置された再生・記録用の磁気ヘッド６７と、磁気ヘッド６７を通過した駐車券Ｐ等を奥側へとニップ搬送する上下一対の下流側搬送ローラ対６８と、上流側搬送ローラ対６６と下流側搬送ローラ対６８とを同期して回転させる搬送ローラ対駆動機構部６９と、カード検出センサ６５のカード検出によって搬送ローラ対駆動機構部６９を駆動させるカード搬送用モータ７０と、を備えている。
【００８４】
尚、搬送ローラ対駆動機構部６９は、カード搬送用モータ７０の回転駆動によって回転又は回動移動するギヤ・プーリ（又はスプロケット等）・ベルト（又はチェーン等）を適宜配置した公知の動力伝達機構から構成されている。
【００８５】
この際、カード搬送用モータ７０は、搬送ローラ対駆動機構部６９を介して回転する上流側搬送ローラ対６６及び下流側搬送ローラ対６８の回転方向を、駐車券Ｐ等を挿入口３０からプリンタ装置６３に向けて搬送する正転方向と、駐車券Ｐ等をプリンタ装置６３から挿入口３０に向けて搬送する逆転方向と、に回転させる。
【００８６】
尚、磁気データ再生記録装置６２は、入場時に発券機１４で記録された磁気記録部の磁気情報を再生することで精算を可能とすると共に、磁気記録部に記録された磁気情報を消去するため、再生と記録（消去）の両方を可能としたものを採用しているが、出場時には磁気記録部の磁気情報を再生さえすることができれば精算は可能である。従って、例えば、単に入場日時のみを入場データとする磁気情報の場合のように磁気記録部に記録された磁気情報を消去する必要性が低い場合や、磁気記録部を細断処理（シュレッダー処理）する場合には、再生のみの磁気データ再生装置を適用することができる。
【００８７】
プリンタ装置６３は、上述した硬貨・紙幣・ＩＣカード等の他、サービス券・回数券・プリペイド券等の他の媒体を利用して精算する場合、特に、プリペイド券のように、精算日時・利用金額・残り金額等を示す印字を行う場合に用いられており、例えば、インクリボン７１とプリンタヘッド７２とからなるドットインパクト式プリンタが設置されている。尚、領収証が必要な場合に、上述した領収証プリンタ５１を使用せず、駐車券Ｐを領収証として用いる場合には、このプリンタ装置６３を用いて日付や料金等を印字し、磁気記録部の磁気情報を消去したうえで挿入口３０に駐車券Ｐをスイッチバックしても良い。
【００８８】
切断装置６４は、プリンタ装置６３に隣接配置されてプリペイド券等を利用した精算の際に駐車券Ｐを一時的に保持する保留機構部７３と、保留機構部７３に隣接配置されたカット機構部７４と、を備えている。
【００８９】
保留機構部７３は、プリンタ装置６３から搬送された駐車券Ｐの表裏（上下）を挟んでニップ搬送する上下一対の駐車券搬送ローラ対７５と、駐車券搬送ローラ対７５から駐車券Ｐを上向きに搬送する保留搬送経路７６と、駐車券搬送ローラ対７５と協働して駐車券を保留搬送経路７６に搬送する保留位置搬送ローラ対７７と、駐車券搬送ローラ対７５と保留位置搬送ローラ対７７とを同期して回転させる切断駆動機構部７８と、切断駆動機構部７８を駆動させる駐車券搬送用モータ７９と、駐車券Ｐを保留搬送経路７６とカット機構部７４に向かう切断搬送経路８２とに切り換え搬送する経路切換ガイド８０と、経路切換ガイド８０を駆動する経路切換用ソレノイド８１（モータ等でもよい）と、を備えている。
【００９０】
経路切換用ソレノイド８１は、プランジャを収縮させることで経路切換ガイド８０を下向に傾動させ、その経路切換ガイド８０の下方傾斜している尖った先端が切断搬送経路８２を封鎖すると同時に保留搬送経路７６を開放し、駐車券Ｐを保留搬送経路７６に誘導させる。また、経路切換用ソレノイド８１は、プランジャを伸長させることで経路切換ガイド８０を上向に傾動させ、その経路切換ガイド８０の下方傾斜している尖った先端が保留搬送経路７６を封鎖すると同時に切断搬送経路８２を開放し、駐車券Ｐを切断搬送経路８２にスルーさせる。
【００９１】
カット機構部７４は、駐車券Ｐの搬送に倣って回転する円盤状のカッタ刃８３と、カッタ刃８３によって切断された駐車券Ｐの一方の搬送経路を切り換える回収経路切換アーム８４と、切断搬送経路８２から分岐された連通路８５と、カッタ刃８３と回収経路切換アーム８４の先端との間に配置されて切断駆動機構部７８に連携された切断位置搬送ローラ対８６と、を備えている。
【００９２】
図６は本発明の一実施形態に係る実施例１の駐車券処理装置５４に搭載された駐車券処理装置５４の構成を示すブロック図である。
【００９３】
具体的には、インターフェース４４には、カード検出センサ６５からのカード検出信号が入力される。
【００９４】
また、インターフェース４４は、磁気データ再生記録装置６２のカード搬送用モータ７０、プリンタ装置６３のプリンタヘッド７２を駆動制御するプリンタヘッド駆動回路８７、切断装置６４の駐車券搬送用モータ７９、経路切換用ソレノイド８１、等に駆動信号を出力する。
【００９５】
さらに、インターフェース４４は、磁気データ再生記録装置６２の磁気ヘッド６７による再生及び記録のための信号増幅整形回路８９を制御するためのリード／ライト制御回路９０とで、再生信号及び記録信号を入出力する。
【００９６】
これにより、ＣＰＵ４２は、カード検出センサ６５からのカード検出信号入力によって、カード搬送用モータ７０、プリンタヘッド駆動回路８７、カード搬送用モータ７０、経路切換用ソレノイド８１、を駆動制御する。
【００９７】
図７，図８は本発明の一実施形態に係る実施例１の出口料金精算機１９における精算過程での駐車券Ｐの動作を時系列で示した要部の説明図である。
【００９８】
図７（Ａ）に示すように、利用者が駐車券Ｐを出口料金精算機１９の挿入口３０に挿入すると、経路切換用ソレノイド８１の駆動により経路切換ガイド８０が保留搬送経路７６を開放すると共に、カード搬送用モータ７０及び駐車券搬送用モータ７９の駆動により上流側搬送ローラ対６６，下流側搬送ローラ対６８，駐車券搬送ローラ対７５，保留位置搬送ローラ対７７が送り込み方向に回転する。
【００９９】
これにより、駐車券Ｐは、図７（Ｂ）に示すように、保留位置状態まで一気に搬送されると同時に、磁気ヘッド６７により磁気記録部を走査して磁気情報を読み取る。
【０１００】
この際、駐車券Ｐは、例えば、図２の前扉２５の挿入口３０付近のイラストのように、利用者から見て上面右側に磁気記録部が位置する正規の方向で挿入口３０に挿入されたものとし、この挿入方向は駐車券Ｐに印刷されている矢印方向（図９参照）に挿入されたものとする。そして、この挿入方向がデフォルトであり、実施例１においては、駐車券Ｐの挿入方向として、このデフォルト方向のみしか受け付けず、他の方向（裏返しや逆挿入方向）に挿入した場合には内部に搬送しないか、若しくは内部に引き込んだ際に磁気情報が読み取れないことにより、エラーとして挿入口３０から排出し、利用者に正規の方向で再度挿入するようにアラーム報知をする。
【０１０１】
この状態で、精算が完了していない場合にはそのまま待機しているが、この際の料金精算の方法としては、硬貨や紙幣の投入及び釣銭等の払い出しの他、サービス券・回数券・プリペイド券等の他券を利用して精算することもできる。
【０１０２】
この他券で精算する場合、図７（Ｃ）に示すように、駐車券Ｐと同様に挿入口３０からそれらの他券が挿入されると、経路切換用ソレノイド８１の駆動により経路切換ガイド８０が切断搬送経路８２を開放すると共に、カード搬送用モータ７０及び駐車券搬送用モータ７９の駆動により上流側搬送ローラ対６６，下流側搬送ローラ対６８，駐車券搬送ローラ対７５が送り込み方向に回転する。
【０１０３】
これにより、磁気ヘッド６７で他券の磁気情報を読み込み、利用金額や利用度数を減算して他券の磁気情報を上書きし、必要であれば利用度数や残り額を示す印字をプリンタ装置６３で行った後に、カード搬送用モータ７０及び駐車券搬送用モータ７９の逆転駆動により上流側搬送ローラ対６６，下流側搬送ローラ対６８，駐車券搬送ローラ対７５が返却方向に回転し、挿入口３０に返却する。
【０１０４】
この際、駐車券Ｐは、例えば、経路切換用ソレノイド８１の伸張動作に連動する図示しないクラッチ機構の解除によって保留位置搬送ローラ対７７の回転の停止によってニップ搬送状態を解除していることにより、保留状態が継続されている。
【０１０５】
また、この様な他券は、複数回の使用が可能であることから、その材質は使い捨て用の紙製ではなく、耐久性の高い材料（例えば、ＰＥＴカード）が使用されている。従って、仮に使用度数が０になったり、有効期限が切れて使用不可能となった場合でも、出口料金精算機１９の内部に回収することは無く、必ず利用者に返却するために排出動作をおこなうようになっている。
【０１０６】
このように、駐車券Ｐをすぐには回収せず、保留のままにしておくのは、確実に精算が終了しない状態で（仮にサービス券の残額が足りなく）、精算を取り消しされた場合でも、駐車券Ｐに残額を記録して利用者に返却するようにできるようにするためである。
【０１０７】
一方、精算が終了すると、再度経路切換用ソレノイド８１を吸引して経路切換ガイド８０を下向きに傾動させると共に、カード搬送用モータ７０及び駐車券搬送用モータ７９の逆転駆動により上流側搬送ローラ対６６，下流側搬送ローラ対６８，駐車券搬送ローラ対７５，保留位置搬送ローラ対７７が返却方向に回転し、図８（Ａ）に示すように、駐車券Ｐを挿入口３０付近にまでスイッチバックさせる。
【０１０８】
その後、図８（Ｂ）に示すように、経路切換用ソレノイド８１の駆動により経路切換ガイド８０が切断搬送経路８２を開放すると共に、カード搬送用モータ７０及び駐車券搬送用モータ７９の駆動により上流側搬送ローラ対６６，下流側搬送ローラ対６８，駐車券搬送ローラ対７５（，保留位置搬送ローラ対７７），切断位置搬送ローラ対８６が送り込み方向に回転し、駐車券Ｐを切断・回収処理する。
【０１０９】
尚、駐車券Ｐは、そのスイッチバックの過程で磁気ヘッド６７によって磁気情報を消去するか、再度回収方向に搬送する過程で磁気ヘッド６７によって磁気情報を消去するかを行う。
【０１１０】
図９は本発明の一実施形態に係る出口料金精算機１９における実施例１のカット機構部７４の要部の説明図で、図９（Ａ）は平面図、図９（Ｂ)は側面図、図９（Ｃ）は背面図である。
【０１１１】
カッタ刃８３は、回収経路切換アーム８４に軸支されて駐車券Ｐの搬送方向に沿って回転可能な円盤状の回転式とすることによって、刃の摩耗や欠け等の破損を発生し難く、耐久性の向上を確保してメンテナンス頻度を少なくし、ランニングコストを削減している。また、カッタ刃８３は、その下端が切断搬送経路８２に臨んでおり、帯状の磁気記録部の延在方向に搬送過程にある駐車券Ｐを搬送方向に沿って（磁気記録部の延在方向に沿って）磁気記録部の境界の近傍を切断（分断）する。
【０１１２】
回収経路切換アーム８４は、図９（Ａ）に示すように、カッタ刃８３で切断した駐車券Ｐの一部（磁気記録部側）の回収方向を駐車券Ｐの他の一部の回収方向とで異ならせる機能を備えている。また、回収経路切換アーム８４は、駐車券Ｐの搬送方向と直交する支柱９１を介して駐車券Ｐの切断搬送経路８２中心から帯状の磁気記録部寄りにずれた位置に配置することによってカッタ刃８３によって分断した駐車券Ｐの一部（磁気記録部側）の幅よりも駐車券Ｐの他の一部の幅、すなわち、リサイクル可能な部分を広幅に確保している。
【０１１３】
切断位置搬送ローラ対８６は、駐車券Ｐの搬送方向と直交する幅方向２ヶ所で駐車券Ｐをニップ搬送することにより、分断した駐車券Ｐの各一部を独立して搬送するように構成されている。
【０１１４】
これにより、駐車券Ｐを分断するために特別な駆動回路等を不要とし、切断搬送経路８２を通過する駐車券Ｐの搬送動作によって自動的に分断されるため、部品コストの高騰を抑えつつ、駐車券Ｐの自動分断機能を実現することができる。
【０１１５】
また、図９（Ｂ）に示すように、切断搬送経路８２の終端部付近には、下方に向かう連通路８５が形成されており、回収経路切換アーム８４の先端を、この連通路８５に臨ませることでカッタ刃８３で切断した駐車券Ｐの一部（磁気記録部側）を連通路８５に導く。
【０１１６】
図１０は、本発明の一実施形態に係る出口料金精算機１９における実施例１の出口料金精算機１９におけるカット機構部７４の動作説明図で、図１０（Ａ）は切断前の動作説明図、図１０（Ｂ）は切断初期の動作説明図、図１０（Ｃ）は切断中期の動作説明図である。
【０１１７】
回収経路切換アーム８４は、その先端が下方になだらかに傾斜しながら徐々に角度が急峻に構成されており、カッタ刃８３で切断した駐車券Ｐの一部（磁気記録部側）は、連通路８５を経由して図５で示した第２入場券回収箱６１に落下させられて回収され、カッタ刃８３で切断した駐車券Ｐの他の一部は切断搬送経路８２の終端部からそのまま排出され、図５で示した第１入場券回収箱６０に自然落下して回収される。
【０１１８】
このように、駐車券Ｐを出口料金精算機１９の内部に設置された回収箱に回収する際、磁気データ再生記録装置６２の駐車券搬送経路から連続する搬送経路終端部付近に、駐車券Ｐを搬送方向に沿って分断する分断手段を設けると共に、その分断手段によって分断された駐車券Ｐの一部に設けられた帯状の磁気記録部が含まれる一方を第２入場券回収箱６１に回収し且つ分断された駐車券Ｐの磁気記録部が含まれない他方を第１入場券回収箱６０に回収する振分手段を設けることにより、リサイクルが容易な部位とリサイクルが困難な部位とを容易に振り分け回収することが可能となる。
【０１１９】
この際、分断手段としては、上述した回転式のカッタ刃８２の他、駐車券Ｐを停止させて上下に変位する水平または傾斜した刃部のカッタ刃（図示せず）で切断する方法等でも良い。また、振分手段としては、上述した回収経路切換アーム８４の他、分断手段に連続する中央分離帯のような物理的な壁を設け、その後経路が各回収箱に続くように分かれるものであっても良い。
【０１２０】
これにより、利用者が出口料金精算機１９で駐車券Ｐを挿入して精算が完了した時点で、自動的に駐車券Ｐの磁気記録部を含む部分とそれ以外の部分とに分断して別々の回収箱に回収されるため、磁気を含んで一般の古紙として回収されない産業廃棄物の量を極めて少なくすることが可能となるばかりでなく、一方の磁気を含まない一般の古紙として扱える使用済み駐車券Ｐの再利用率が向上し、環境にやさしい出口料金精算機１９とすることができる。
【実施例２】
【０１２１】
図１１乃至図１８は、本発明の一実施形態に係る実施例２の出口料金精算機１９における動作状態を示し、上記実施例１では、駐車券Ｐの挿入方向が１つに規定された場合を示したが、この実施例２では、駐車券Ｐの挿入方向を問わない場合を示す。尚、図１乃至図３に示した構成は、この実施例２においても同様である。また、上記実施例１と同一の構成には同一の符号を付してその説明を省略する。
【０１２２】
図１１（実施例１の図４に相当）は本発明の一実施形態に係る実施例２の出口料金精算機１９における精算時のメイン動作のフロー図である。尚、図１１に示したフロー図において、図４に示したフロー図と同一のルーチンには同一のステップ記号を付し、その説明を省略する。
【０１２３】
（ステップＳ３）
ステップＳ３では、ＣＰＵ４２は、挿入口３０から駐車券Ｐが挿入されたか否かを監視し、駐車券Ｐが挿入されなかった場合にはステップＳ４へと移行し、駐車券Ｐが挿入された場合にはステップＳ１２へと移行する。
【０１２４】
（ステップＳ１２）
ステップＳ１２では、ＣＰＵ４２は、駐車券Ｐの磁気記録部の位置を検出してステップＳ１３へと移行する。
【０１２５】
（ステップＳ１３）
ステップＳ１３では、ＣＰＵ４２は、ステップＳ１２で検出した駐車券Ｐの磁気記録部の位置に応じて磁気ヘッド６７の位置を変更し、ステップＳ１４へと移行する。
【０１２６】
（ステップＳ１４）
ステップＳ１４では、ＣＰＵ４２は、ステップＳ１２で検出した駐車券Ｐの磁気記録部の位置に応じてカッタ刃８３の位置を変更し、ステップＳ５へと移行する。
【０１２７】
図１２（実施例１の図５に相当）は、本発明の一実施形態に係る実施例２の出口料金精算機１９の要部の内部構成を示す断面図、図１３（実施例１の図６に相当）は本発明の一実施形態に係る実施例２の駐車券処理装置５４に搭載された駐車券処理装置５４の構成を示すブロック図である。
【０１２８】
磁気データ再生記録装置６２は、挿入口３０から駐車券Ｐ等が挿入されたことを検出すると共に磁気記録部の位置を検出するように上下左右に配置された第１〜第４カード検出センサ９２ａ〜９２ｄと、挿入口３０から挿入された駐車券Ｐ等の上下を挟んでニップ搬送する上下一対の上流側搬送ローラ対６６と、駐車券Ｐの挿入方向が異なる場合の左右各位置での磁気記録部に対向するように配置された左右一対の再生・記録用の磁気ヘッド６７と、この磁気ヘッド６７を保持する反転盤９３と、反転盤９３を反転させる反転機構部９４と、反転機構部９４を駆動させる磁気ヘッド反転駆動用モータ９５と、磁気ヘッド６７を通過した駐車券Ｐ等を奥側へとニップ搬送する上下一対の下流側搬送ローラ対６８と、上流側搬送ローラ対６６と下流側搬送ローラ対６８とを同期して回転させる搬送ローラ対駆動機構部６９と、第１〜第４カード検出センサ９２ａ〜９２ｄのいずれかのセンサのカード検出によって搬送ローラ対駆動機構部６９を駆動させるカード搬送用モータ７０と、を備えている。尚、反転機構部９４は、磁気ヘッド反転駆動用モータ９５の回転駆動によって回転するギヤ等を適宜配置した公知の動力伝達機構から構成されている。
【０１２９】
プリンタ装置６３は、上述した硬貨・紙幣・ＩＣカード等の他、サービス券・回数券・プリペイド券等の他の媒体を利用して精算する場合、特に、プリペイド券のように、精算日時・利用金額・残り金額等を示す印字を行う場合に用いられており、例えば、インクリボン７１とプリンタヘッド７２とからなるドットインパクト式プリンタが設置されている。
【０１３０】
これにより、挿入口３０から挿入された駐車券Ｐの挿入方向が磁気記録部の位置を基準として限定していないため、実際に挿入口３０から挿入された駐車券Ｐのどの位置に磁気記録部があるかを４つの第１〜第４カード検出センサ９２ａ〜９２ｄが検出し、磁気記録部が駐車券Ｐの下面側に位置していると検出された際には、磁気ヘッド反転駆動用モータ９５が駆動し、磁気ヘッド６７を反転させる。
【０１３１】
図１４（実施例１の図７に相当），図１５（実施例１の図８に相当）は本発明の一実施形態に係る実施例２の出口料金精算機１９における精算過程での駐車券Ｐの動作を時系列で示した要部の説明図である。
【０１３２】
図１４（Ａ）に示すように、利用者が駐車券Ｐを出口料金精算機１９の挿入口３０に挿入すると、経路切換用ソレノイド８１の駆動により経路切換ガイド８０が保留搬送経路７６を開放すると共に、カード搬送用モータ７０及び駐車券搬送用モータ７９の駆動により上流側搬送ローラ対６６，下流側搬送ローラ対６８，駐車券搬送ローラ対７５，保留位置搬送ローラ対７７が送り込み方向に回転する。
【０１３３】
これにより、駐車券Ｐは、図１４（Ｂ）に示すように、保留位置状態まで一気に搬送されると同時に、磁気ヘッド６７により磁気記録部を走査して磁気情報を読み取る。
【０１３４】
この際、駐車券Ｐが、例えば、図２の前扉２５の挿入口３０付近のイラストのように、利用者から見て上面右側に磁気記録部が位置する正規の方向で挿入口３０に挿入された場合、及び、利用者から見て上面左側に磁気記録部が位置する方向で挿入口３０に挿入された場合、即ち、駐車券Ｐが表向きに挿入された場合には、磁気ヘッド６７は反転せず、図１４に示した状態のままとなる。また、駐車券Ｐが、裏向きに挿入された場合には、磁気ヘッド６７が反転される。尚、以降の読み取り動作は、実施例１と実質的に同一である。
【０１３５】
図１６（実施例１の図９及び図１０（Ａ）に対応）は、本発明の一実施形態に係る出口料金精算機１９における実施例２のカット機構部７４の要部の説明図で、図１６（Ａ）は切断前の斜視図、図１６（Ｂ）は切断前の平面図、図１６（Ｃ)は切断前の側面図、図１６（Ｄ）は切断前の背面図である。尚、図１６では、駐車券Ｐが前述の実施例１と同じく正規の方向に挿入された状態を示している。
【０１３６】
また、図１７（実施例１の図１０（Ｂ）に対応）は、本発明の一実施形態に係る出口料金精算機１９における実施例２の出口料金精算機１９におけるカット機構部７４の要部の説明図で、図１７（Ａ）は切断中期の斜視図、図１７（Ｂ）は切断中期の平面図、図１７（Ｃ)は切断中期の側面図、図１７（Ｄ）は切断中期の背面図である。尚、図１７では、駐車券Ｐが前述の実施例１とは異なり、前後逆向きの方向に挿入された状態を示している。
【０１３７】
出口料金精算機１９においては、駐車券Ｐの挿入方向（正規の前向きとその逆の後ろ向き）と、磁気記録部がある面が上向きか下向きかと、によって、４つの方向で駐車券Ｐが挿入される可能性がある。
【０１３８】
この際、磁気記録部の位置は、駐車券Ｐの表裏を問わなければ、左右の何れか側に位置していることとなる。
【０１３９】
そこで、実施例２では、駐車券Ｐの搬送方向中心１か所で駐車券Ｐを分断したのでは無駄が出てしまうため、左右２ヶ所に回収経路切換アーム８４とカッタ刃８３と連通路８５とを設け、各回収経路切換アーム８４とカッタ刃８３とが駐車券Ｐの紙面に対して選択的に突出又は退避させている。尚、搬送される駐車券Ｐの磁気記録部の向きに応じて、回収経路切換アーム８４とカッタ刃８３の搬送幅方向における位置を選択的に移動しても良い。
【０１４０】
具体的には、駐車券Ｐの搬送方向と交差する幅方向で切断搬送経路８２の幅を規定する側板の間で上方にブラケット９８が配置されている。
【０１４１】
このブラケット９８には、退避機構部としての幅方向２箇所の孔からなるバネ掛け部９９と、１つのカッタ刃切換用ソレノイド１００と、平面視略横向きＴ字形状のカッタ刃切換カム１０１を支持するように下向きに突出するカム支持軸１０２と、が固定されている。
【０１４２】
カッタ刃切換カム１０１は駐車券Ｐの搬送面と平行な略水平方向に揺動可能となるようにカム支持軸１０２に取り付けられており、その中央部のカム駆動軸部にはカッタ刃切換用ソレノイド１００のプランジャ先端がピンで連結されている。
【０１４３】
図１６（Ｂ）では、カッタ刃切換用ソレノイド１００のプランジャ先端が伸長した状態であり、プランジャ部先端が収縮した場合にはカッタ刃切換カム１０１はそれに連動して所定の揺動角度分だけ推移する位置に移動することができる。
【０１４４】
回収経路切換アーム８４は、支柱９１に回動可能に支持され、カッタ刃切換カム１０１の揺動により、カッタ刃切換カム１０１の幅方向に突出した一方の作用片１０１ａと一方の回収経路切換アーム８４の基端８４ａとが係合すると共にカッタ刃切換カム１０１の他方の作用片１０１ｂの他方の回収経路切換アーム８４の基端８４ｂとの係合が解除され、互いに係合状態にある回収経路切換アーム８４の先端が下方に押し下げられて連通路８５に臨み、係合状態にない回収経路切換アーム８４の先端がスプリング１０３の付勢によって持ち上げられて連通路８５から離間するように構成されている。この際、カッタ刃８３は、回収経路切換アーム８４の上下回動により切断搬送経路８２から離間または臨むように連動する。
【０１４５】
この際、係合状態にない回収経路切換アーム８４は、その先端並びにカッタ刃８３が、切換搬送経路から完全に離間し、駐車券Ｐの通過を許容している。
【０１４６】
また、回収経路切換アーム８４は最大限引き上げた位置で安定的に停止するように、上方からの引張りスプリング１０３の付勢力を受けながら停止させるストッパー部材等を設けても良い。
【０１４７】
このような構成においては、駐車券Ｐが搬送されると、４つの第１〜第４カード検出センサ９２ａ〜９２ｄの磁気記録部の検出位置に応じて、回収経路切換アーム８４が切り換えられ、駐車券Ｐが磁気記録部を含む部分とそれ以外の部分とに分断されると共に、駐車券Ｐが磁気記録部を含む部分とそれ以外の部分とで別々の回収箱に回収される。
【０１４８】
図１８は、本発明の一実施形態に係る出口料金精算機１９における実施例２の駐車券分断作用の説明図で、図１８（Ａ）は適正に挿入された駐車券Ｐの挿入前後の斜視図、図１８（Ｂ）は適正基準に対して前後逆に挿入された駐車券Ｐの挿入前後の斜視図、図１８（Ｃ）は適正基準に対して表裏逆に挿入された駐車券Ｐの挿入前後の斜視図、図１８（Ｄ）は適正基準に対して表裏前後逆に挿入された駐車券Ｐの挿入前後の斜視図である。
【０１４９】
このように、図１８（Ａ）と図１８（Ｃ）とで示す方向で駐車券Ｐが挿入された場合と、図１８（Ｂ）と図１８（Ｄ）とで示す方向で駐車券Ｐが挿入された場合とで、回収経路切換アーム８４及びカッタ刃８３を切り換えることにより、第１入場券回収箱６０と第２入場券回収箱６１とに、磁気記録部が存在している駐車券Ｐの一部と、磁気記録部が存在していない駐車券Ｐの一部とが混在することなく、回収することができる。
【０１５０】
これにより、駐車券Ｐの挿入方向が複数（２方向や４方向の）であっても磁気記録部の再生・記録が可能な出口料金精算機１９にあっても、それに対応して選択的に駐車券Ｐの分断位置を切り換えることが可能で、利用者の利便性を損なわずに、駐車券再利用促進を実現することができる。
【０１５１】
尚、実施例２においては、一つのカッタ刃切換用ソレノイド１００とカッタ刃切換カム１０１とを用いたが、退避機構部として２つの回収経路切換アーム８４を２つのソレノイドによって回動させても良い。
【０１５２】
また、本発明の実施例で示した保留搬送経路７６は必ずしも上向きでなくとも良く、仮に下向きの保留路とし、何らかのカード（再利用可能なプリペイドカード等）を装置内に回収する場合に、この保留路から第３の回収箱にカードを回収することも可能であり、その場合にはカードの分断処理は経由しないことになる。よってカードそのものの再利用も合わせて実現できる。
【０１５３】
さらに、本発明の実施例は、出口料金精算機１９での出口料金精算機１９の例を示したが、例えば係員が利用者から駐車券Ｐを受け取って、料金レジに通信接続された磁気リーダによって駐車券Ｐの磁気情報を読んで精算料金を算出するシステムや、発券機１４と出口料金精算機１９とが一体となったシステム、あるいは、駐車場以外の高速道路等の出口料金所等の出口料金精算機１９となどでも、本発明の出口料金精算機１９を搭載して自動的に磁気記録部を分断して分別させることも可能であり、本発明の請求範囲は必ずしも出口料金精算機１９に搭載された装置には留まらないことは言うまでもない。
【産業上の利用可能性】
【０１５４】
本発明の技術は、様々な規模の有料駐車場等における出口料金精算機１９に搭載することによって、簡単に駐車券Ｐ（入場券）の分断・分別回収が可能となり、環境にやさしいシステムとして利用される可能性が高いものである。また、駐車券Ｐを受付券として発行して、精算時に回収する比較的小規模なフラップ式駐車場の精算機に搭載することで、さらに広範囲に利用される可能性もある。
【符号の説明】
【０１５５】
１９…出口料金精算機
３０…挿入口
６０…第１入場券回収箱
６１…第２入場券回収箱
６２…磁気データ再生記録装置
８３…カッタ刃
８４…回収経路切換アーム
【図１】
2010238127.tif 000003
【図２】
2010238127.tif 000004
【図３】
2010238127.tif 000005
【図４】
2010238127.tif 000006
【図５】
2010238127.tif 000007
【図６】
2010238127.tif 000008
【図７】
2010238127.tif 000009
【図８】
2010238127.tif 000010
【図９】
2010238127.tif 000011
【図１０】
2010238127.tif 000012
【図１１】
2010238127.tif 000013
【図１２】
2010238127.tif 000014
【図１３】
2010238127.tif 000015
【図１４】
2010238127.tif 000016
【図１５】
2010238127.tif 000017
【図１６】
2010238127.tif 000018
【図１７】
2010238127.tif 000019
【図１８】
2010238127.tif 000020